【手続補正書】
【提出日】平成17年3月2日(2005.3.2)
【手続補正１】
【補正対象書類名】明細書
【補正対象項目名】００４０
【補正方法】変更
【補正の内容】
【００４０】
（１−２）リモートコマンダー
図３は、このリモートコマンダー４０を示す平面図及び側面図である。リモートコマンダー４０は、所定厚みによる細長い板形状により形成され、その短辺側の１端面に赤外線による遠隔制御信号を出力する送光部４１Ｔが設けられる。リモートコマンダー４０は、送光部４１Ｔが設けられている側より、上側面の左側に、地図表示においてズームアウト、ズームインの切り換えに供するシーソースイッチによる操作子４２が設けられる。またこの操作子４２に近接して、押圧操作可能なポインティングディバイスであるジョイステック４３が設けられる。またジョイステック４３の右側に、上方よりディスプレイ、地図の操作子１６Ｒ、１７Ｒが設けられる。またこれらの操作子より手前側に、現在位置の表示を指示する現在位置の操作子４４が横長に形成され、これらよりリモートコマンダー４０では、ナビゲーションに係る操作子４２、４３、４４がまとめられて、地図の操作子１７Ｒの近傍に配置されるようになされている。
【手続補正２】
【補正対象書類名】明細書
【補正対象項目名】００４１
【補正方法】変更
【補正の内容】
【００４１】
またリモートコマンダー４０は、現在位置の操作子４４のさらに手前側に、プログラム、メニューの操作子１４Ｒ、１５Ｒが設けられる。またさらに手前側の中央に、押圧操作可能な回転操作子であるジョグダイヤル４６（以下、センタジョグと呼ぶ）が設けられ、このセンタジョグ４６の左右に戻る、進むの操作子４８、４７が設けられる。しかしてこれらの操作子１４Ｒ、１５Ｒ、４６〜４８にあっては、表示画面１１に表示されたメニューに係る操作子であり、これによりこの実施例ではメニューに係る操作子がまとめられて配置されるようになされている。
【手続補正３】
【補正対象書類名】明細書
【補正対象項目名】００６９
【補正方法】変更
【補正の内容】
【００６９】
ここでこの操作メニューにおいては、巻き戻しのメニューＭ２２、前のチャプタに戻るメニューＭ２３、再生／一時停止の切り換えメニューＭ２４、次のチャプタに進むメニューＭ２５、早送りのメニューＭ２６、リスト表示のメニューＭ２７、このコントロールバーＢ１の表示／非表示の切り換えメニューＭ２８が順次表示される。コントローラ３３は、これら各メニューの操作がタッチパネル３９の操作により検出されると、それぞれこのユーザーによる操作に対応するように、各部の動作を制御する。
【手続補正４】
【補正対象書類名】明細書
【補正対象項目名】００８７
【補正方法】変更
【補正の内容】
【００８７】
これに対してコントロールバーＢ１１の閉じるのメニューＭ２８以外の部位の操作が検出されると、非表示とされていたメニューＭ２１〜Ｍ２７を表示する。このとき表示の変化を図７（Ｃ１）〜（Ｃ３）により示すように、メニューＭ２８の右端より徐々にメニューＭ２２〜Ｍ２７を中央側に移動させて表示し、これによりあたかも重なってメニューＭ２８の下に隠れていたメニューＭ２２〜Ｍ２７が現れて見て取れる位置に移動したかの様に、これらメニューＭ２２〜Ｍ２７を表示させる。またこのようにしてメニューＭ２２〜Ｍ２７を表示して、タイトルの表示領域が不足すると、タイトルをスクロールさせて表示する。またこのようにして表示したメニューＭ２１〜Ｍ２８によりユーザーによる操作を受け付ける。
【手続補正５】
【補正対象書類名】明細書
【補正対象項目名】００９１
【補正方法】変更
【補正の内容】
【００９１】
コントローラ３３は、このテレビジョン放送に係る表示においても、コントロールバーの表示／非表示のメニューを表示し、このメニューの選択により、さらにはこのメニュー画面に設定されたメニューの操作により、コントロールバーを表示しないように設定される。またこのようにしてコントロールバーを表示しないようにしてコンテンツを表示して、図７について上述したと同様に、タッチパネル３９の操作により、さらにはリモートコマンダー４０の操作によりコントロールバーを表示し、さらにはメニューを表示し、ユーザーによる操作を受け付ける。これによりこの車載装置１においては、テレビジョン放送によるコンテンツを提供する場合にあっても、タッチパネル３９、リモートコマンダー４０の操作に係るメニューを表示画面１１より退避させてコンテンツを表示して、表示画面１１を有効利用するようになされている。
【手続補正６】
【補正対象書類名】明細書
【補正対象項目名】００９４
【補正方法】変更
【補正の内容】
【００９４】
この表示画面には、このような選択に係るアーティスト名、アルバム名等の表示欄が中央に形成され、続く右側欄に、各区分に係る提供可能なコンテンツの一覧が表示される。コントローラ３３は、この一覧の表示領域に選択可能なコンテンツを表示しきれない場合、この一覧表示のスクロールにより選択可能なコンテンツを表示し、またスクロール可能な方向をこの一覧の左側に矢印により表示する。しかして図８の例では、上下に矢印が設けられて、表示領域を上下にはみだしてコンテンツの一覧表が存在していることが示されるようになされている。またこの場合、コントローラ３３は、この一覧表示の右側に、スクロールバーＢ２を表示し、またこのスクロールバーＢ２の上下に、上下方向へのスクロールを指示するメニューＢＵ、ＢＤを表示する。またこの一覧画面には、画面下部に、コントロールバーＢ１が表示される。なおこの一覧においては、フォーカスされているメニューを左側に飛び出させて表示するようになされている。
【手続補正７】
【補正対象書類名】明細書
【補正対象項目名】００９６
【補正方法】変更
【補正の内容】
【００９６】
さらにこの表示画面において、コントロールバーＢ１には、アーティスト名の表示領域に表示する動画による壁紙を切り換えるビジュアライザーのメニュー、シャッフル再生を指示するメニュー、リピート再生を指示するメニューが左端に順次配置される。また右側には、巻き戻し、前曲に戻る、一時停止／再生、次曲に進む、早送り、リスト、コントロールバーの表示／非表示のメニューが順次表示される。
【手続補正８】
【補正対象書類名】明細書
【補正対象項目名】０１０５
【補正方法】変更
【補正の内容】
【０１０５】
コントローラ３３は、このようにして地図の表示に関連する情報Ｄ１を表示して、タッチパネル３９の操作によりスケールに係る表示が操作されると、図１１に示すように、切り換え可能なスケールのメニュー、広域、詳細のメニューを表示し、タッチパネル３９の操作によりスケールのメニューが選択されると、地図表示のスケールを切り換える。また広域、詳細のメニューが選択されると、このスケールのメニューの設定に従って、地図表示のスケールを順次段階的に切り換える。これに対してコントローラ３３は、このようなスケール等のメニューを表示した状態で、さらにはスケール等のメニューを表示していない状態で、リモートコマンダー４０でズームアウト、ズームインの操作子４２が操作されると、それぞれ広域、詳細のメニューが選択された場合と同様に地図表示のスケールを順次段階的に切り換える。
【手続補正９】
【補正対象書類名】明細書
【補正対象項目名】０１０７
【補正方法】変更
【補正の内容】
【０１０７】
この車載装置１では、図１０について上述したメニュー画面における設定により、この地図表示に係る表示画面において、地図の表示に関連する情報Ｄ１の表示が中止される。またこのように地図の表示に関連する情報Ｄ１を表示しないようにして、ナビゲーションの処理において、道案内に供する基準点であるガイドポイントを基準にしたタイミングで図１２に示すように、地図の表示に関連する情報Ｄ１を表示し、また所定のタイミングで音声によるガイドをユーザーに提供する。具体的に、このタイミングは、例えばガイドポイントの到着が予測される所定時間前のタイミングである。コントローラ３３は、この場合も、表示開始時の変化を図１２（Ａ）〜図１２（Ｄ）の順序により示すように、それまで表示画面の外側に隠れていた情報Ｄ１の表示があたかも表示画面１１に姿を表すかのように、徐々に表示を切り換えて各種の情報をユーザーに提供する。
【手続補正１０】
【補正対象書類名】明細書
【補正対象項目名】０１１６
【補正方法】変更
【補正の内容】
【０１１６】
すなわちコントローラ３３は、ユーザーによる電源スイッチ１２の操作により、電源立ち下げ時と同一の状態により各部の動作を立ち上げ、この状態がユーザーにメニューＭ１〜Ｍ３の何れかのアプリケーションによりユーザーにコンテンツを提供する状態の場合、図１３において矢印Ａにより示すように、ソースの操作子１３Ｐ、１３Ｒの操作に応動して、ユーザーに提供するソースを順次循環的に切り換える。なおこの図１３において、ハードディスク装置３５に記録されている音楽コンテンツ、映像コンテンツに係るアプリケーションをそれぞれオーディオ、ビデオにより示し、テレビジョン放送に係るアプリケーションをＴＶにより示す。
【手続補正１１】
【補正対象書類名】明細書
【補正対象項目名】０１５３
【補正方法】変更
【補正の内容】
【０１５３】
しかしてこのようにコンテンツを鑑賞して、ユーザーがコンテンツを選び直す場合等にあっては、各アプリケーションのメイン画面に表示されたコントロールバーＢ１のメニューの選択等により、対応するリスト画面が表示され、このリスト画面におけるメニューの選択により所望するコンテンツを選択することになる（図６、図８）。このときこの車載装置１では、ハードディスク装置３５に記録した多数のコンテンツより所望するコンテンツを簡易に選択できるように、各コンテンツの選択に至るメニューが階層構造により表示され、例えばジャンルを選択して選択に係るジャンルによる一覧から所望するコンテンツを選択することになる。
【手続補正１２】
【補正対象書類名】図面
【補正対象項目名】図３
【補正方法】変更
【補正の内容】
【図３】
2005098831.tif 000001